(57)【要約】【課題】所定の第１の波長域の光は確実に反射し、その第１の波長域とは異なる第２の波長域の光の反射を確実に抑えることができる反射器、および画像読取装置を提供する。【解決手段】所定の第１の波長域の光を反射するとともに第１の波長域とは異なる所定の第２の波長域の光を透過する入射面を有する反射部材と、反射部材の、入射面とは反対側の裏面と重なる重なり領域と裏面よりも食み出して広がる拡張領域とからなる支持面を有する支持部材とを備え、支持部材の支持面の、少なくとも拡張領域が粗化処理が施された領域である。【選択図】        図７
2008017180.tif 000002
【特許請求の範囲】
【請求項１】
所定の第１の波長域の光を反射するとともに該第１の波長域とは異なる所定の第２の波長域の光を透過する入射面を有する反射部材と、
前記反射部材の、前記入射面とは反対側の裏面と重なる重なり領域と該裏面よりも食み出して広がる拡張領域とからなる支持面を有する支持部材とを備え、
前記支持部材の支持面の、少なくとも前記拡張領域が粗化処理が施された領域であることを特徴とする反射器。
【請求項２】
前記支持部材は、前記支持面全域に粗化処理が施されたものであることを特徴とする請求項１記載の反射器。
【請求項３】
前記反射部材は、前記支持部材と一体成形されたものであることを特徴とする請求項１記載の反射器。
【請求項４】
所定の主走査方向に延びる主走査ラインに向けて励起光を発することにより、画像を担持した放射線の照射を受けて放射線画像が蓄積記録された、主走査方向に交わる副走査方向に前記主走査ラインを横切って相対移動する記録担体に励起光を照射する光源と、
光の入射面が前記主走査ラインに沿って延在し、前記励起光の照射を受けて前記記録担体から発せられた輝尽発光光を該入射面から入射して集光する集光ガイドと、
前記主走査ラインに沿って延在し、入射してきた光を前記集光ガイドの入射面に向けて反射する反射器と、
前記集光ガイドで集光された光を受光して画像信号を生成する受光部とを備え、
前記反射器が、
前記輝尽発光光を反射するとともに前記励起光を透過する入射面を有する反射部材と、
前記反射部材の、前記入射面とは反対側の裏面と重なる重なり領域と該裏面よりも食み出して広がる拡張領域とからなる支持面を有する支持部材とを備え、
前記支持部材の支持面の、少なくとも前記拡張領域が粗化処理が施された領域であることを特徴とする画像読取装置。
【発明の詳細な説明】
【技術分野】
【０００１】
本発明は、光を反射する反射器、および画像を読み取る画像読取装置に関する。
【背景技術】
【０００２】
従来から、放射線が照射されると、その放射線エネルギーの一部を蓄積し、可視光等が照射されると、蓄積された放射線エネルギーに応じて輝尽発光する蓄積性蛍光体が知られている。近年では、被写体を透過してきた放射線を、基板の表面に蓄積性蛍光体が貼り付けられたＩＰ（イメージングプレート）に照射して放射線画像を蓄積記録し、そのＩＰに励起光を照射して蓄積性蛍光体から発せられた輝尽発光光を読み取ることにより、放射線画像を可視化するＣＲ（コンピューテッドラジオグラフィ）が医療分野等で広く利用されてきている。ＣＲを利用した放射線撮影システムによると、被写体の体内を撮影した放射線画像がデジタルデータとして取得されるため、放射線画像中の病巣部分をモニタに拡大表示したり、診断に不要な骨部分を削除した画像を表示することなどができ、人に外的なダメージを与えることなく、病状の進行状態などを確実に把握することができる。
【０００３】
ところで、蓄積性蛍光体から発せられる輝尽発光光は微弱であるうえ、多方向に散乱して発せられるため、輝尽発光光を読み取って放射線画像を得る画像読取装置には、励起光を発する光源や、輝尽発光光を電気信号に変換する光電変換器に加えて、輝尽発光光を集光して光電変換器まで導く集光ガイドや、輝尽発光光を集光ガイドに向けて反射する集光ミラーが備えられていることが一般的である。このような画像読取装置によると、集光ガイドに直接入射してきた輝尽発光光だけではなく、集光ミラーに入射して集光ガイドに向けて反射された輝尽発光光も確実に光電変換器にまで導かれるため、輝尽発光光の集光率が向上し、放射線画像を確実に読み取ることができる。
【０００４】
ここで、集光ミラーには、輝尽発光光だけではなく、励起光の一部がＩＰ上で反射した反射光も入射される。この反射光がさらに集光ミラーで反射して、ＩＰ上の、光源から発せられた励起光が照射される照射位置とは異なる位置に照射されてしまうと、その反射光が照射された位置からも輝尽発光光が発生してしまい、画像読取装置で読み取られた画像に偽画像などといった不具合が生じてしまうという問題がある。このため、集光ミラーの光入射面に、輝尽発光光は反射して励起光は透過するダイクロイック加工を施したり、集光ミラーの光入射面の裏面に、光を吸収するための黒化処理が施された支持部材を貼り付けることが一般的に行われている。これらを併用することにより、輝尽発光光は集光ミラーによって反射されて集光ガイドで集光されるとともに、励起光は集光ミラーを透過して支持部材で吸収されるため、輝尽発光光を確実に集光することができるとともに、ＩＰ上で反射してきた励起光が集光ミラーでさらに反射してしまう不具合を軽減することができる。
【０００５】
しかし、プラスチック等で構成された支持部材を完全な黒色に着色し、さらにその黒色を長期に渡って維持することは大変困難である。このため、ＩＰ上で反射された励起光は、集光ミラーを透過した後、支持部材によって一部がさらに反射され、集光ミラーを透過してＩＰ上に再び照射されてしまう恐れがある。
【０００６】
この点に関し、特許文献１には、集光ミラーの裏面側にも黒化処理を施し、集光ミラーと支持部材との間で光が反射してしまう不具合を防止する技術について記載されている。
【特許文献１】特開２００１−２５５６０８号公報
【発明の開示】
【発明が解決しようとする課題】
【０００７】
しかし、特許文献１に記載された技術では、支持部材の、集光ミラーと接触していない部分に、集光ミラーを透過せずに励起光が照射されてしまうと、その部分で励起光が反射されてしまって、ＩＰ上に照射されてしまう恐れがある。
【０００８】
尚、上述した問題は、輝尽発光光を反射して励起光を透過させる集光ミラーのみに限らず、所定の第１の波長域の光を反射するとともに、第１の波長域とは異なる第２の波長域の光を透過させる反射器一般に当てはまるものである。
【０００９】
本発明は、上記事情に鑑み、所定の第１の波長域の光は確実に反射し、その第１の波長域とは異なる第２の波長域の光の反射を確実に抑えることができる反射器、および画像読取装置を提供することを目的とする。
【課題を解決するための手段】
【００１０】
上記目的を達成する本発明の反射器は、所定の第１の波長域の光を反射するとともに第１の波長域とは異なる所定の第２の波長域の光を透過する入射面を有する反射部材と、
反射部材の、入射面とは反対側の裏面と重なる重なり領域と裏面よりも食み出して広がる拡張領域とからなる支持面を有する支持部材とを備え、
支持部材の支持面の、少なくとも拡張領域が粗化処理が施された領域であることを特徴とする。
【００１１】
本発明の反射器によると、反射部材に第１の波長域の光が入射されると、その光は反射部材の入射面において反射され、反射部材に第２の波長域の光が入射されると、その光は反射部材の入射面を透過し、さらに支持部材の重なり領域において吸収／拡散される。また、支持部材の拡張領域には粗化処理が施されているため、拡張領域に直接入射してきた光も、その拡張領域において確実に吸収される。したがって、本発明の反射器によると、第１の波長域の光は確実に反射し、第２の波長域の光の反射を確実に抑えることができる。
【００１２】
また、本発明の反射器において、上記支持部材は、支持面全域に粗化処理が施されたものであることが好ましい。
【００１３】
反射部材の裏面から食み出した拡張領域だけではなく、反射部材の裏面と重なる重なり領域にも粗化処理が施されることによって、第２の波長域の光が反射部材で反射してしまう不具合を確実に防止することができる。
【００１４】
また、本発明の反射器において、上記反射部材は、支持部材と一体成形されたものであることも好ましい。
【００１５】
支持部材と反射部材とが一体成形されることにより、支持部材と反射部材との境界部分で第２の波長域の光が反射してしまう不具合を軽減することができる。
【００１６】
また、上記目的を達成する本発明の画像読取装置は、所定の主走査方向に延びる主走査ラインに向けて励起光を発することにより、画像を担持した放射線の照射を受けて放射線画像が蓄積記録された、主走査方向に交わる副走査方向に主走査ラインを横切って相対移動する記録担体に励起光を照射する光源と、
光の入射面が主走査ラインに沿って延在し、励起光の照射を受けて記録担体から発せられた輝尽発光光を入射面から入射して集光する集光ガイドと、
主走査ラインに沿って延在し、入射してきた光を集光ガイドの入射面に向けて反射する反射器と、
集光ガイドで集光された光を受光して画像信号を生成する受光部とを備え、
上記反射器が、
輝尽発光光を反射するとともに励起光を透過する入射面を有する反射部材と、
反射部材の、入射面とは反対側の裏面と重なる重なり領域と裏面よりも食み出して広がる拡張領域とからなる支持面を有する支持部材とを備え、
上記支持部材の支持面の、少なくとも拡張領域が粗化処理が施された領域であることを特徴とする。
【００１７】
尚、画像読取装置については、ここではその基本形態のみを示すのにとどめるが、これは単に重複を避けるためであり、本発明にいう画像読取装置には、上記の基本形態のみではなく、前述した反射器の各形態に対応する各種の形態が含まれる。
【００１８】
本発明の画像読取装置によると、記録担体で反射されて反射器に入射した励起光が反射器で確実に吸収／拡散されるため、偽画像などといった不具合が生じていない高画質な画像を得ることができる。
【発明の効果】
【００１９】
本発明によれば、所定の第１の波長域の光は確実に反射し、その第１の波長域とは異なる第２の波長域の光の反射を確実に抑えることができる反射器、および画像読取装置を提供することができる。
【発明を実施するための最良の形態】
【００２０】
以下、図面を参照して本発明の実施の形態を説明する。
【００２１】
本実施形態では、放射線画像を蓄積記録するＩＰが持ち運び自在なカセッテ内に収容されており、撮影後にＩＰがカセッテごと放射線画像を読み取る画像読取装置に装填される。まず、ＩＰおよびカセッテの構成について説明する。
【００２２】
図１は、ＩＰおよびカセッテの概略構成図である。
【００２３】
図１に示すように、ＩＰ１０は、基板（図示しない）上に蓄積性蛍光体１０Ａが蒸着されて形成されており、放射線を透過する材料で構成されたカセッテ２０内に収容されて使用される。ＩＰ１０は、本発明にいう記録担体の一例に相当する。
【００２４】
また、ＩＰ１０には、寿命や破損などによりカセッテ２０内のＩＰ１０を交換する際に、ユーザが手で把持するための把持枠１０Ｂが設けられている。ＩＰ１０の把持枠１０Ｂには、板ばね１０ａ，１０ｂが設けられており、ＩＰ１０をカセッテ２０内に収容したときに、板ばね１０ａ，１０ｂがカセッテ２０に設けられた係止孔２１ａ，２１ｂに係止されることによって、ＩＰ１０がカセッテ２０内に保持される。また、カセッテ２０の、ＩＰ１０が挿入される側とは逆の側には、ピンを挿入することによってＩＰ１０をカセッテ２０外に押し出すための押出孔２２ａ，２２ｂも設けられており、カセッテ２０の、押出孔２２ａ，２２ｂと同じ側には、カセッテ２０のサイズなどが記載された反射マーカ２３が付加されている。カセッテ２０からＩＰ１０を取り出す際には、係止孔２１ａ，２１ｂにピンを挿入してＩＰ１０の係止を解除し、さらに、押出孔２２ａ，２２ｂにピンを挿入してＩＰ１０をカセッテ２０の外に排出する。また、カセッテ２０の裏面には、無線を使って情報を読み書きするためのＲＦＩＤ（Ｒａｄｉｏ  ｆｒｅｑｕｅｎｃｙ  ｉｄｅｎｔｉｆｉｃａｔｉｏｎ）タグ２４（図２参照）が取り付けられている。
【００２５】
続いて、図１に示すカセッテ２０に収容されたＩＰ１０に放射線画像を蓄積記録し、その放射線画像を読み取る放射線撮影システムについて説明する。
【００２６】
図２は、本発明の一実施形態が適用された放射線撮影システムの概略構成図である。
【００２７】
図２に示す放射線撮影システム１には、図１に示すカセッテ２０を固定するカセッテ台１００、放射線を照射する放射線照射装置２００、本発明の画像読取装置の一実施形態であり、ＩＰ１０に蓄積記録された放射線画像を読み取る画像読取装置４００、および放射線撮影システム１全体を制御する制御装置３００が備えられており、制御装置３００は、ＬＡＮ（Ｌｏｃａｌ  Ａｒｅａ  Ｎｅｔｗｏｒｋ）によってサーバ装置５００と接続されている。
【００２８】
カセッテ台１００には、カセッテ２０に取り付けられたＲＦＩＤタグ２４に情報を書き込んだり、ＲＦＩＤタグ２４に記憶された情報を読み出すアクセス部１１０と、制御装置３００からＲＦＩＤタグ２４に記録する情報を受信したり、アクセス部１１０で読み出された情報を制御装置３００に向けて送信する通信部１２０が備えられている。
【００２９】
放射線照射装置２００には、放射線を発する管球２１０と、管球２１０から発せられる放射線の線量を調整するとともに、管球２１０から発せられた放射線の線量を制御装置３００に伝える制御部２２０とが備えられている。
【００３０】
また、制御装置３００は、外観上、画像読取装置４００で読み取られた放射線画像や、放射線照射装置２００から伝えられた放射線の線量や、各種アラームなどが表示される表示モニタ３２０と、ユーザが指示を入力するための操作子３１０等が備えられており、図２に示す各種要素と接続されている。
【００３１】
画像読取装置４００は、カセッテ２０内のＩＰ１０に蓄積記録された放射線画像を読み取って、その放射線画像を制御装置３００に送る。画像読取装置４００については、後で詳しく説明する。
【００３２】
サーバ装置５００は、図２に示す放射線撮影システム１の他、病院内に設置された各種コンピュータや、各種システムに接続されており、患者のカルテや、放射線画像や、各種情報等が一括管理されている。放射線撮影システム１の制御装置３００から、放射線照射装置２００で照射された放射線の線量や、画像読取装置４００で読み取られた放射線画像などが伝えられると、サーバ装置５００は、制御装置３００から送られてきた各種情報を、カセッテ２０内のＩＰ１０を識別するための識別情報とともに記憶する。
【００３３】
撮影時には、まず、ユーザがＩＰ１０をカセッテ２０内に挿入し、カセッテ２０をカセッテ台１００に固定する。続いて、被写体２をカセッテ台１００の前に移動させ、放射線照射装置２００の位置や高さなどを調整して、放射線照射装置２００から発せられる放射線の照射位置を被写体２の撮影部位に合わせる。
【００３４】
ユーザが制御装置３００の操作子３１０のうち放射線の発射を指示するための発射ボタンを押すと、制御装置３００から放射線照射装置２００に発射指示が伝えられ、放射線照射装置２００の管球２１０から放射線が発射される。放射線照射装置２００から発せられた放射線は、被写体２を透過し、さらに、カセッテ２０を透過した後、ＩＰ１０に照射される。その結果、ＩＰ１０に放射線画像が蓄積記録される。
【００３５】
また、放射線が発射されると、放射線照射装置２００の制御部２２０から制御装置３００に、発射された放射線の線量が伝えられ、制御装置３００からカセッテ台１００の通信部１２０に、放射線の線量と撮影日時が伝えられる。カセッテ台１００のアクセス部１１０は、制御装置３００から伝えられた放射線の線量と撮影日時とをＲＦＩＤタグ２４に記憶する。
【００３６】
撮影が終了すると、カセッテ２０がカセッテ台１００から取り外されて、画像読取装置４００に装着される。
【００３７】
図３は、画像読取装置４００の外観斜視図であり、図４は、画像読取装置４００の内部構成図である。
【００３８】
図３に示すように、画像読取装置４００の両端には、これから放射線画像が読み取られるカセッテ２０が載せられる搬入口４０１Ａと、放射線画像の読み取りが終了したカセッテ２０が排出される排出口４０１Ｂとが設けられており、画像読取装置４００の中央には、画像読取装置４００の稼動状態などを表示する表示パネル４０１Ｃが備えられている。      
【００３９】
図４に示すように、搬入口４０１Ａは、中央から遠ざかるほど下方向に傾斜しており、傾斜の最下部には、カセッテ２０を画像読取装置４００の内部に取り込む蓋部材４１０Ａが配設されている。また、搬入口４０１Ａには、カセッテ２０の底に付加された反射マーカ２３（図１参照）を読み取るためのセンサ（図示しない）が備えられている。
【００４０】
画像読取装置４００の内部には、大別して、カセッテ２０を搬入口４０１Ａと排出口４０１Ｂとの間で搬送する搬送部４２０、ＩＰ１０に蓄積記録された放射線画像を読み取る読取部４３０、ＩＰ１０上に残存する放射線画像を消去する消去部４４０、カセッテ２０に取り付けられたＲＦＩＤタグ２４に記憶された情報を読み取る情報取得部４５０、および画像読取装置４００全体の動作を制御するとともに、図２に示す制御装置３００に向けて放射線画像を送信する制御部４６０が備えられている。
【００４１】
上述したセンサによって反射マーカ２３が読み取られ、カセッテ２０の装着が検出されると、情報取得部４５０によって、カセッテ２０のＲＦＩＤタグ２４に記憶された情報（撮影日時や、撮影時の放射線量など）が読み取られる。読み取られた情報は、制御部４６０に伝えられる。制御部４６０では、この情報に基いて、ＩＰ１０に蓄積記録された放射線画像を読み取るための励起光Ｌの強度や、放射線画像を消去するための消去光Ｑの光量などが決定される。さらに、制御部４６０からの指示によって、搬入口４０１Ａの蓋部材４１０Ａに取り付けられたモータが駆動して蓋部材４１０Ａが開き、搬入口４０１Ａに載せられたカセッテ２０が搬送ロール４２１１によって搬送部４２０に搬送される。
【００４２】
搬送部４２０には、搬入口４０１Ａの下の装填位置Ｓ１、読取部４３０の下の読取位置Ｓ２、消去部４４０の下の消去位置Ｓ３、および排出口４０１Ｂの下の排出位置Ｓ４を結ぶ上下２本のガイドレール４２２，４２３と、ガイドレール４２２，４２３に沿って移動することにより、装填位置Ｓ１と排出位置Ｓ４との間でカセッテ２０を搬送する搬送部材４２４が備えられている。
【００４３】
搬送ロール４２１１によって搬送されてきたカセッテ２０は、まず、装填位置Ｓ１で搬送部材４２４に保持され、ガイドレール４２２，４２３に沿って読取位置Ｓ２に搬送される。読取位置Ｓ２には、２本のピンと、それらのピンを挿抜するソレノイドとで構成された排出部４２５，４２６が上下に並べて配設されている。カセッテ２０が読取位置Ｓ２に搬送されると、上側の排出部４２５に備えられたピンが図１に示すカセッテ２０の係止孔２１ａ，２１ｂに挿入されて、カセッテ２０内に収容されたＩＰ１０の係止が解除され、下側の排出部４２５に備えられたピンがカセッテ２０の押出孔２２ａ，２２ｂに挿入されて、ＩＰ１０がカセッテ２０から押し出される。カセッテ２０から排出されたＩＰ１０は、搬送ロール４２１２によって読取部４３０に搬送され、ＩＰ１０が排出された空のカセッテ２０は、ガイドレール４２２，４２３に沿って消去位置Ｓ３に搬送される。
【００４４】
読取部４３０には、鉛直上方向に延びた搬送路Ｒが設けられており、ＩＰ１０が出入りする２箇所に設けられたシャッタ４３１Ａ，４３１Ｂと、励起光Ｌを主走査方向（紙面の奥行方向）に照射する励起光照射部４３３と、ＩＰ１０を副走査方向（紙面の上方向）に搬送する搬送ロール４３２２，４３２３と、ＩＰ１０から発せられた輝尽発光光を集光して光電変換器４３４２に導く集光ガイド４３４１と、ＩＰ１０から発せられた輝尽発光光を集光ガイド４３４１に向けて反射する反射器４３５と、輝尽発光光を電気信号に変換することにより、ＩＰ１０に蓄積記録された放射線画像を読み取る光電変換器４３４２と、水平方向に延びた上下２本のガイドレール４３６，４３７と、ガイドレール４３６，４３７に沿って移動することにより、ＩＰ１０を水平方向に搬送する上下一対のニップロール４３８，４３９とが備えられている。反射器４３５は、本発明の反射器の一実施形態に相当する。また、集光ガイド４３４１は、本発明にいう集光ガイドの一実施形態にあたり、励起光照射部４３３は、本発明にいう光源の一例にあたり、光電変換器４３４２は、本発明にいう受光部の一例に相当する。
【００４５】
カセッテ２０から排出されたＩＰ１０は、搬送ロール４２１２，４３２１によって読取部４３０に向けて上方向に搬送される。ＩＰ１０の先端が励起光照射部４３３の位置に到達すると、シャッタ４３１Ａ，４３１Ｂが閉じて読取部４３０内が遮光される。ＩＰ１０は、搬送ロール４３２２，４３２３によってさらに上向きに搬送され、続いて、励起光照射部４３３から搬送中のＩＰ１０に、主走査方向に励起光Ｌが照射される。ＩＰ１０に励起光Ｌが照射されると、ＩＰ１０上の、励起光Ｌが照射された照射位置から輝尽発光光が発せられる。輝尽発光光は、集光ガイド４３４１に直接入射したり、反射器４３５によって反射されて集光ガイド４３４１に入射する。集光ガイド４３４１に入射した輝尽発光光は光電変換器４３４２に導かれ、光電変換器４３４２によって読み取られて画像信号が生成される。ＩＰ１０が副走査方向（紙面の上方向）に移動されながら主走査方向（紙面の奥行方向）に励起光Ｌが照射されることにより、集光ガイド４３４１では、主走査方向に延びるライン状の輝尽発光光が入射されて光電変換器４３４２に導かれる。その結果、光電変換器４３４２では、ＩＰ１０に記録された放射線画像が主走査方向に延びるラインごとに読み取られる。読み取られた放射線画像は、制御部４６０に伝えられ、画像濃度の不均一性を補正するシェーディング補正等の画像処理が施された後、図２に示す制御装置３００に送られる。反射器４３５については、後で詳しく説明する。
【００４６】
放射線画像が読み取られたＩＰ１０は、搬送ロール４３２２，４３２３によってニップロール４３８，４３９に搬送され、ニップロール４３８，４３９に挟まれる。ニップロール４３８，４３９は、ＩＰ１０を把持したままガイドレール４３６，４３７沿って水平方向に移動し、ガイドレール４３６，４３７の端に達すると、ＩＰ１０を下向きに搬送する。ＩＰ１０は、搬送ロール４３２４，４２１３によってさらに下向きに移動されることにより、消去部４４０に搬送される。
【００４７】
消去部４４０には、主走査方向（図の奥行き方向）および副走査方向（上下方向）双方に広がる複数の蛍光ランプ４４１が備えられている。複数の蛍光ランプ４４１から制御部４６０で決定された光量の消去光Ｑが発せられると、消去光Ｑは搬送中のＩＰ１０に照射される。その結果、ＩＰ１０に蓄積された放射線エネルギーが放出され、放射線画像が消去される。
【００４８】
放射線画像が消去されたＩＰ１０は、搬送ロール４２１４によってさらに下方向に搬送され、消去位置Ｓ３に搬送されていた空のカセッテ２０内に収容され、ガイドレール４２２，４２３に沿って排出位置Ｓ４に搬送される。
【００４９】
排出口４０１Ｂにも、搬入口４０１Ａと同様に蓋部材４１０Ｂが配設されており、カセッテ２０が排出位置Ｓ４に搬送されてくると、排出口４０１Ｂの蓋部材４１０Ｂが開かれる。排出位置Ｓ４に搬送されたカセッテ２０は、搬送ロール４２１５によって排出口４０１Ｂに向けて搬送され、排出口４０１Ｂから排出される。
【００５０】
画像読取装置４００は、基本的には以上のように構成されている。
【００５１】
ここで、励起光照射部４３３から発せられた励起光Ｌは、一部がＩＰ１０上で反射して反射器４３５に入射する。この反射光が反射器４３５でさらに反射し、ＩＰ１０上に再び照射されてしまうと、励起光Ｌが照射された位置だけではなく、反射光が照射された位置からも輝尽発光光が発せられてしまい、読み取られた画像に偽画像などといった不具合が生じてしまう。本実施形態の画像読取装置４００では、反射器４３５の形状などが工夫されており、輝尽発光光を確実に集光ガイド４３４１に向けて反射するとともに、励起光Ｌの反射光が再びＩＰ１０に照射されてしまう不具合を回避することができる。以下では、反射器４３５について詳しく説明する。
【００５２】
図５は、図４に示す励起光照射部４３３、集光ガイド４３４１、および反射器４３５の拡大図であり、図６は、反射器４３５の分解図である。
【００５３】
図５に示すように、励起光照射部４３３から発せられた励起光Ｌは、ＩＰ１０上に、主走査方向（矢印Ｘ方向）に延びたライン状に照射され、その結果、ライン状の照射位置から輝尽発光光が発せられる。輝尽発光光は散乱して発せられるため、励起光Ｌの照射位置を挟んで配置された集光ガイド４３４１および反射器４３５それぞれに入射される。
【００５４】
反射器４３５は、輝尽発光光を集光ガイド４３４１に向けて反射するミラー４３５１と、ミラー４３５１の裏面を覆うことにより、ミラー４３５１を支持するマウント４３５２とで構成されている。ミラー４３５１は、本発明にいう反射部材の一例にあたり、マウント４３５２は、本発明にいう支持部材の一例に相当する。
【００５５】
また、図６に示すように、ミラー４３５１は、透明なガラス体５０１で構成されており、表面５０２には、輝尽発光光の波長域（４００ｎｍ程度）の光は反射し、励起光Ｌの波長域（６３０ｎｍ〜６８０ｎｍ程度）の光は透過するダイクロイック加工が施されており、裏面５０３には、入射してきた光を吸収する黒化処理が施されている。マウント４３５２は、黒色のプラスチック等で構成されており、ミラー４３５１を支持する支持面４３５２ａ全体に粗化加工が施されている。マウント４３５２とミラー４３５１は接着剤によって貼り付けられるが、マウント４３５２の支持面４３５２ａは、ミラー４３５１の裏面５０３よりも広く成形されているため、それらが貼り付けられて形成された反射器４３５は、ミラー４３５１の裏面５０３からマウント４３５２が食み出している。
【００５６】
また、図５に示すように、集光ガイド４３４１は、光透過性を有する板材（例えば、アクリル板など）で構成されており、光が入射する入射面４３４１ａが主走査方向に延びており、光が出射する出射面４３４１ｂが光電変換器４３４２と接触している。入射面４３４１ａから入射してきた輝尽発光光は、出射面４３４１ｂまで導かれて、出射面４３４１ｂと接触した光電変換器４３４２の受光面で受光されて読み取られる。
【００５７】
以上のように、ＩＰ１０に主走査方向に延びるライン状に励起光Ｌが照射され、ＩＰ１０が副走査方向（矢印Ｙ方向）に移動されることにより、ＩＰ１０に蓄積記録された放射線画像が、主走査方向に延びるラインごとに、副走査方向に読み取られる。
【００５８】
図７は、輝尽発光光および励起光について説明するための図である。
【００５９】
図５に示す励起光照射部４３３から発せられた励起光Ｌは、ＩＰ１０上に照射され、その照射位置から発せられた輝尽発光光Ｅ１，Ｅ２は、散乱して集光ガイド４３４１や反射器４３５に入射される。
【００６０】
反射器４３５に入射された輝尽発光光Ｅ２は、ダイクロイック加工が施されたミラー４３５１の表面５０２で反射されて、その輝尽発光光Ｅ２の反射光Ｅ２´が集光ガイド４３４１に入射される。
【００６１】
集光ガイド４３４１では、ＩＰ１０から直接に入射してきた輝尽発光光Ｅ１や、反射器４３５によって輝尽発光光Ｅ２が反射された反射光Ｅ２´が集光され、図５に示す光電変換部４３４２へと導かれる。
【００６２】
また、励起光照射部４３３から発せられた励起光Ｌの一部は、ＩＰ１０上で反射され、その反射光Ｒ１，Ｒ２が反射器４３５に入射される。
【００６３】
反射器４３５の、ミラー４３５１に入射してきた反射光Ｒ１は、ダイクロイック加工が施されたミラー４３５１の表面５０２を透過し、黒色加工が施されたミラー４３５１の裏面５０３で吸収される。尚、ミラー４３５１はガラス体５０１で構成されているため、黒色加工を施しても完全には光を吸収することはできない。ミラー４３５１の裏面５０３を通過してきた反射光Ｒ１は、マウント４３５２によって吸収される。マウント４３５２は、支持面４３５２ａに粗化処理が施されているため、マウント４３５２とミラー４３５１との間の接着剤などによって乱反射してしまう光も確実に吸収することができる。
【００６４】
また、マウント４３５２の支持面４３５２ａの、ミラー４３５１から食み出した部分に直接入射してきた反射光Ｒ２は、その支持面４３５２ａによって吸収される。マウント４３５２を構成しているプラスチック等は、時間の経過とともに色が褪せてしまうことが多く、マウント４３５２を完全な黒色に成形し、さらにその黒色を維持することは困難である。しかし、マウント４３５２の支持面４３５２ａには粗化処理が施されているため、マウント４３５２の黒色レベルが多少劣化しても、反射光Ｒ２の反射を確実に防止することができる。
【００６５】
このように、本実施形態の画像読取装置４００によると、反射器４３５によって、輝尽発光光を確実に集光ガイド４３４１に向けて反射し、励起光ＬがＩＰ１０で反射した反射光を確実に吸収することができるため、偽画像などといった不具合が生じていない高画質な画像を得ることができる。
【００６６】
以上で、本発明の第１実施形態の説明を終了し、本発明の第２実施形態について説明する。本発明の第１実施形態と第２実施形態とでは、反射器の形状や製法が相互に異なるが、それ以外は同様の構成を有しているため、同じ要素には同じ符号を付して説明を省略し、第１実施形態と第２実施形態との相違点についてのみ説明する。
【００６７】
図８は、本発明の第２実施形態である反射器の側面図である。
【００６８】
本実施形態の反射器４３５´は、ミラー４３５１とマウント４３５２とが一体成形されており、マウント４３５２は、ミラー４３５１と接触している部分を除く部分全体に粗化処理が施されている。
【００６９】
本実施形態の反射器４３５´によると、ミラー４３５１とマウント４３５２との間で励起光Ｌが反射してしまう不具合を軽減することができるとともに、マウント４３５２の側面などに照射された励起光Ｌの反射も確実に防止することができる。
【００７０】
ここで、上記では、輝尽発光光を反射して励起光を透過する反射器の例について説明したが、本発明の反射器は、所定の第１の波長域の光を反射するとともに、第１の波長域とは異なる第２の波長域の光を透過するものであればよい。
【００７１】
また、上記では、ＩＰを副走査方向に移動させることによって画像を読み取る例について説明したが、本発明にいう移動手段は、光源、集光ガイド、反射器、および受光部のセットを副走査方向に移動させるものであってもよい。
【図面の簡単な説明】
【００７２】
【図１】ＩＰおよびカセッテの概略構成図である。
【図２】放射線撮影システムの概略構成図である。
【図３】画像読取装置の外観斜視図である。
【図４】画像読取装置の内部構成図である。
【図５】図４に示す励起光照射部、集光ガイド、および反射器の拡大図である。
【図６】反射器の分解図である。
【図７】輝尽発光光および励起光について説明するための図である。
【図８】本発明の第２実施形態である反射器の側面図である。
【符号の説明】
【００７３】
１    放射線撮影システム
２    被写体
１０    ＩＰ
１０Ａ    蓄積性蛍光体
１０Ｂ    把持枠
１０ａ，１０ｂ    板ばね
２０    カセッテ
２１ａ，２１ｂ    係止孔
２２ａ，２２ｂ    押出孔
２３    反射マーカ
１００    カセッテ台
１１０    アクセス部
１２０    通信部
２００    放射線照射装置
２１０    管球
２２０    制御部
３００    制御装置
３１０    操作子
３２０    表示モニタ
４００    画像読取装置
４０１Ａ    搬入口
４０１Ｂ    排出口
４０１Ｃ    表示パネル
４１０Ａ，４１０Ｂ    蓋部材
４２０    搬送部
４２２，４２３    ガイドレール
４２４    搬送部材
４３０    読取部
４３１Ａ，４３１Ｂ    シャッタ
４３３    励起光照射部
４３４１    集光ガイド
４３４２    光電変換器
４３５    反射器
４３６，４３７    ガイドレール
４３８，４３９    ニップロール
４４０    消去部
４４１    蛍光ランプ
４５０    情報取得部
４６０    制御部
【図１】
2008017180.tif 000003
【図２】
2008017180.tif 000004
【図３】
2008017180.tif 000005
【図４】
2008017180.tif 000006
【図５】
2008017180.tif 000007
【図６】
2008017180.tif 000008
【図７】
2008017180.tif 000009
【図８】
2008017180.tif 000010